(57)【特許請求の範囲】
【請求項１】
上水を給水する上水管と、前記上水を加熱する第１の加熱手段の給湯管と、浴槽の浴槽水を加熱する第２の加熱手段に前記浴槽水を循環させる循環管路と、洗濯機と、トイレの洗浄水タンクとに接続される節水ユニットであって、
前記洗浄水タンクに接続された管路と前記上水管との間に連結部により連結されて前記洗浄水タンクに給水する第１の管路と、
前記洗濯機に接続された管路と前記第１の加熱手段に接続された管路との間に連結部により連結されて前記洗濯機に給水又は給湯する第２の管路と、
前記循環管路と前記浴槽との間に連結部により連結されて前記浴槽水を第２の加熱手段に循環させる第３の管路と、
前記第２の加熱手段に接続された管路と前記浴槽に接続された管路との間に連結部により連結されて前記第２の加熱手段側から浴槽側に前記浴槽水を戻す第４の管路と、
前記第１の管路に前記第３の管路、前記第４の管路又は前記上水管を選択的に連通させ、前記第２の管路に上水管、給湯管、前記第３の管路又は前記第４の管路を選択的に連通させる給水切換手段と、
を備え、前記給水切換手段は、前記第２の管路に開閉弁を備えるとともに、前記第２の管路に接続された分岐管路の一端を前記第１の管路に第１の切換弁を介して接続し、且つ、前記分岐管路の他端を前記第４の管路に第２の切換弁を介して接続し、前記開閉弁、前記第１の切換弁又は前記第２の切換弁の切換えにより、前記洗浄水タンクに前記浴槽水を流し込み、前記洗濯機に上水の給水、給湯又は前記浴槽水を流し込むことを特徴とする節水ユニット。
【請求項２】
前記洗浄水タンク側への流水又は前記洗濯機側への流水があったとき、前記洗浄水タンク側にはトイレ給水モード、前記洗濯機側には洗濯給水モードを選択して給水制御を実行する制御手段を備えたことを特徴とする請求項１記載の節水ユニット。
【請求項３】
前記洗浄水タンク側への給水を優先し、前記洗浄水タンク側への給水が上水に移行したとき、前記浴槽への給湯制御を実行する制御手段を備えたことを特徴とする請求項１記載の節水ユニット。
【請求項４】
前記洗濯機側への給水中、前記洗浄水タンクへの給水は上水に制限するとともに、前記洗濯機への前記浴槽水の供給、前記給水又は前記給湯を実行する制御手段を備えたことを特徴とする請求項１記載の節水ユニット。
【請求項５】
前記浴槽側の追焚循環中、前記洗濯機側への給水を制限するとともに、前記洗浄水タンクへの給水を上水に制限したことを特徴とする請求項１記載の節水ユニット。
【請求項６】
前記浴槽側の給湯制御における水位制御中に、前記洗濯機側への給水指令を受けたとき、前記水位制御を中断して前記洗濯機への給水を実行することを特徴とする請求項１記載の節水ユニット。
【請求項７】
前記第１の管路と前記循環管路、前記第２の管路と前記循環管路を連結する分岐管路を備えるとともに、前記給水切換手段として切換弁を備えたことを特徴とする請求項１記載の節水ユニット。
【請求項８】
前記洗浄水タンク又は前記洗濯機に給水する前記浴槽水を濾過する濾過手段を備えたことを特徴とする請求項１記載の節水ユニット。
【請求項９】
上水管からの給水を加熱して給湯管に給湯する第１の加熱手段と、
浴槽の浴槽水を循環させて加熱する第２の加熱手段と、
この第２の加熱手段に前記浴槽水を循環させる循環管路と、
この循環管路に前記浴槽水を強制的に循環させるポンプと、
前記第１の加熱手段からの給湯を前記浴槽に導く給湯管と、
トイレの洗浄水タンクに給水するトイレ給水管と、
洗濯機に給水又は給湯する洗濯給水管と、
前記トイレ給水管に前記循環管路又は前記上水管を選択的に連通させ、前記洗濯給水管に上水管、給湯管又は前記循環管路を選択的に連通させる給水切換手段と、
を備え、前記給水切換手段は、前記洗濯給水管に開閉弁を備えるとともに、前記洗濯給水管に接続された分岐管路の一端を前記トイレ給水管に第１の切換弁を介して接続し、且つ、前記分岐管路の他端を前記循環管路に第２の切換弁を介して接続し、前記開閉弁、前記第１の切換弁又は前記第２の切換弁の切換えにより、前記洗浄水タンクに上水又は前記浴槽水を供給し、前記洗濯機に上水、給湯又は前記浴槽水を供給することを特徴とする節水給湯・追焚システム。
【請求項１０】
前記洗浄水タンク側への流水又は前記洗濯機側への流水があったとき、前記洗浄水タンク側にはトイレ給水モード、前記洗濯機側には洗濯給水モードを選択して給水制御を実行する制御手段を備えたことを特徴とする請求項９記載の節水給湯・追焚システム。
【請求項１１】
前記洗浄水タンク側への給水を優先し、前記洗浄水タンク側への給水が上水に移行したとき、前記浴槽への給湯制御を実行する制御手段を備えたことを特徴とする請求項９記載の節水給湯・追焚システム。
【請求項１２】
前記洗濯機側への給水中、前記洗浄水タンクへの給水は上水に制限するとともに、前記洗濯機への前記浴槽水の供給、前記給水又は前記給湯を実行する制御手段を備えたことを特徴とする請求項９記載の節水給湯・追焚システム。
【請求項１３】
前記浴槽側の追焚循環中、前記洗濯機側への給水を制限するとともに、前記洗浄水タンクへの給水を上水に制限したことを特徴とする請求項９記載の節水給湯・追焚システム。
【請求項１４】
前記浴槽側の給湯制御における水位制御中に、前記洗濯機側への給水指令を受けたとき、前記水位制御を中断して前記洗濯機への給水を実行することを特徴とする請求項９記載の節水給湯・追焚システム。
【請求項１５】
前記トイレ給水管と前記循環管路、前記洗濯給水管と前記循環管路を連結する分岐管路を備えるとともに、前記給水切換手段として切換弁を備えたことを特徴とする請求項９記載の節水給湯・追焚システム。
【請求項１６】
前記洗浄水タンク又は前記洗濯機に給水する前記浴槽水を濾過する濾過手段を備えたことを特徴とする請求項９記載の節水給湯・追焚システム。
【発明の詳細な説明】
【０００１】
【発明の属する技術分野】
本発明は、トイレ洗浄や洗濯に浴槽内残水を再利用する節水ユニット及び節水給湯・追焚システムに関する。
【０００２】
【従来の技術】
水洗トイレでは、通常、飲料水と同様の上水が使用されており、排泄物の便器外への排出と便器洗浄とを同時に行うことから、１回の処理に１０リットル程度の水が必要である。そのため、かかる用途からすると、水道等の上水の使用には経済的に問題がある。また、洗濯には、上水の他、浴槽内の残湯が使用されている。
【０００３】
【発明が解決しようとする課題】
ところで、特開平９−２７９６４０号「浴槽水を用いた中水道水源取水装置」、特開平９−２６８６０６号「用水回収装置」等、水洗トイレには生活排水の再利用等がある。このような節水技術は、水道の給水に比較して設備が大掛かりになる等の欠点がある。また、浴槽の残湯をトイレに供給するものとして、例えば、特許第２８０８９３９号「浴槽の残湯利用装置」があるが、給水の切換えが自動化されていない。
【０００４】
そこで、本発明は、配管構成等を複雑化することなく、浴槽内残水の再利用の自動化を図った節水ユニット及び節水給湯・追焚システムを提供することを目的とする。
【０００５】
【課題を解決するための手段】
本発明の節水ユニット及び節水給湯・追焚システムは、浴槽にある湯水（Ｗ）をトイレの洗浄水タンク（ロータンク４）又は洗濯機（８）に供給する複数の管路（５１、５２、５３、５４、５５）、給水切換手段（切換弁７６、８８）及び制御手段（給湯追焚制御部１４６、節水制御部１７８、給湯追焚リモコン制御部２０４、節水リモコン制御部２３６）を備えて、上水（Ｕｏ）、給湯（Ｕｈ）に浴槽（６）内の湯水（Ｗ）の併用により、上水の使用量を軽減したものである。
【０００７】
このような構成とすれば、トイレの洗浄水タンク側には、第１の管路と循環管路とを連通させることで浴槽の湯水の供給、第１の管路と上水管とを連結させることで上水の供給が可能になる。また、洗濯機には、第２の管路と循環管路とを連通させることで浴槽の湯水の供給、第２の管路と給湯管又は上水管とを連結させることで、給湯又は非加熱の上水を供給できる。洗濯機の洗いモード、すすぎモードに対応して給水切換手段を操作することにより、洗いモードでは浴槽の湯水又は上水、すすぎモードでは上水を供給できる。浴槽の湯水は追焚によって加熱して洗濯機に供給できる。このような給水形態によって、浴槽の湯水を再利用することができ、上水を節水することができ、浴槽内の湯水を加熱して洗濯機に供給する場合には、上水の加熱に比較し、熱量を節減できる。
【０００８】
本発明の節水ユニット（請求項１）は、上水（Ｕｏ）を給水する上水管（１８）と、前記上水を加熱する第１の加熱手段（熱交換器９８）の給湯管（２０、１０８）と、浴槽（６）の浴槽水（湯水Ｗ）を加熱する第２の加熱手段（熱交換器１００）に前記浴槽水を循環させる循環管路（１６）と、洗濯機（８）と、トイレの洗浄水タンク（ロータンク４）とに接続される節水ユニット（２）であって、前記洗浄水タンクに接続された管路と前記上水管との間に連結部（５６、５８）により連結されて前記洗浄水タンクに給水する第１の管路（５１）と、前記洗濯機に接続された管路と前記第１の加熱手段に接続された管路との間に連結部（６０、６２）により連結されて前記洗濯機に給水又は給湯する第２の管路（５２）と、前記循環管路と前記浴槽との間に連結部（６８、７０）により連結されて前記浴槽水を第２の加熱手段に循環させる第３の管路（５３）と、前記第２の加熱手段に接続された管路と前記浴槽に接続された管路との間に連結部（６４、６６）により連結されて前記第２の加熱手段側から浴槽側に前記浴槽水を戻す第４の管路（５４）と、前記第１の管路に前記第３の管路、前記第４の管路又は前記上水管を選択的に連通させ、前記第２の管路に上水管、給湯管、前記第３の管路又は前記第４の管路を選択的に連通させる給水切換手段とを備え、前記給水切換手段は、前記第２の管路に開閉弁（８２）を備えるとともに、前記第２の管路に接続された分岐管路（５５）の一端を前記第１の管路に第１の切換弁（７６）を介して接続し、且つ、前記分岐管路の他端を前記第４の管路に第２の切換弁を介して接続し、前記開閉弁、前記第１の切換弁又は前記第２の切換弁（８８）の切換えにより、前記洗浄水タンクに前記浴槽水を流し込み、前記洗濯機に上水の給水、給湯又は前記浴槽水を流し込むことを特徴とする。
【０００９】
このような構成とすれば、節水ユニットに浴槽側の追焚循環に用いる循環管路の一部を成す第３及び第４の管路を備えており、第１及び第２の管路と第３又は第４の管路との接続切換えを節水ユニット内で実現することができる。即ち、節水ユニットを既存の配管の中途部に装着して節水を実現できる。
【００１０】
本発明の節水ユニット（請求項２）は、前記洗浄水タンク側への流水又は前記洗濯機側への流水があったとき、前記洗浄水タンク側にはトイレ給水モード、前記洗濯機側には洗濯給水モードを選択して給水制御を実行する制御手段（給湯追焚制御部１４６、節水制御部１７８、給湯追焚リモコン制御部２０４、節水リモコン制御部２３６）を備えたことを特徴とする。即ち、制御手段は、洗浄水タンクの排水を検知して洗浄水タンク側に湯水又は上水を給水し、洗濯機側の流水に応じて、湯水、上水の給水又は給湯を行い、トイレ側又は洗濯機側の使用形態又は使用状態に応じた給水制御を実現している。
【００１１】
本発明の節水ユニット（請求項３）は、前記洗浄水タンク側への給水を優先し、前記洗浄水タンク側への給水が上水に移行したとき、前記浴槽への給湯制御を実行する制御手段（給湯追焚制御部１４６、節水制御部１７８、給湯追焚リモコン制御部２０４、節水リモコン制御部２３６）を備えたことを特徴とする。即ち、洗浄水タンクには浴槽の湯水を給水して洗浄水タンク側を満水とし、その排水によって上水を供給し、また、浴槽側の湯水が無い場合に上水を供給する。洗浄水タンク側への湯水の給水を優先し、洗浄水タンク側への給水が上水に移行したとき、浴槽への給湯制御を行うことで、浴槽の給湯制御の安定化を図っている。
【００１２】
本発明の節水ユニット（請求項４）は、前記洗濯機側への給水中、前記洗浄水タンクへの給水は上水に制限するとともに、前記洗濯機への前記浴槽水の供給、前記給水又は前記給湯を実行する制御手段（給湯追焚制御部１４６、節水制御部１７８、給湯追焚リモコン制御部２０４、節水リモコン制御部２３６）を備えたことを特徴とする。即ち、洗濯機への給水は洗いモード又はすすぎモードで実行され、洗いモードでは湯水が供給される。洗濯機では、相当量の水量又は給湯量を必要とし、浴槽側から浴槽水を洗濯機に供給している場合、その浴槽水を洗浄水タンクに供給した場合の自動洗濯動作への影響を回避し、洗濯機側への給水中、洗浄水タンクへの給水は上水に制限することにより、安定した洗濯動作を実現している。
【００１３】
本発明の節水ユニット（請求項５）は、前記浴槽側の追焚循環中、前記洗濯機側への給水を制限するとともに、前記洗浄水タンクへの給水を上水に制限したことを特徴とする。即ち、浴槽側の追焚循環を実行中、洗濯機側へその湯水の供給を制限することで、追焚水位の不足、追焚加熱が損なわれ又は洗濯機側に熱い湯水の供給を回避できる。洗浄水タンクへの給水は上水に制限することで、洗浄水の不足を防止できる。
【００１４】
本発明の節水ユニット（請求項６）は、前記浴槽側の給湯制御における水位制御中に、前記洗濯機側への給水指令を受けたとき、前記水位制御を中断して前記洗濯機への給水を実行することを特徴とする。即ち、水位制御は、浴槽内の追焚又は給湯時に行われる。このとき、浴槽から洗濯機に相当量の湯水が供給されると、浴槽内の水位制御は無意味となるので、その制御を中断し、洗濯機側の給水を優先している。
【００１５】
本発明の節水ユニット（請求項７）は、前記第１の管路と前記循環管路、前記第２の管路と前記循環管路を連結する分岐管路（５５）を備えるとともに、前記給水切換手段として切換弁（７６、８８）を備えたことを特徴とする。即ち、分岐管路及び切換弁を以て上水、湯水又は給湯の供給選択を実現したので、管路形態及び給水切換手段の構成の簡略化を図ることができる。
【００１６】
本発明の節水ユニット（請求項８）は、前記洗浄水タンク又は前記洗濯機に給水する前記浴槽水を濾過する濾過手段（フィルタ９０）を備えたことを特徴とする。即ち、浴槽水を濾過手段で濾過することにより、洗浄水タンク及びその管路の汚れを防止し、洗濯機の給水を清浄化している。
【００１７】
本発明の節水給湯・追焚システム（請求項９）は、上水管（１８）からの給水を加熱して給湯管（２０、１０８）に給湯する第１の加熱手段（熱交換器９８）と、浴槽（６）の浴槽水（湯水Ｗ）を循環させて加熱する第２の加熱手段（熱交換器１００）と、この第２の加熱手段に前記浴槽水を循環させる循環管路（１６）と、この循環管路に前記浴槽水を強制的に循環させるポンプと（１１２）、前記第１の加熱手段からの給湯を前記浴槽に導く給湯管（分岐管１２０）と、トイレの洗浄水タンクに給水するトイレ給水管（管路２２）と、洗濯機に給水又は給湯する洗濯給水管（管路２４）と、前記トイレ給水管に前記循環管路又は前記上水管を選択的に連通させ、前記洗濯給水管に上水管、給湯管又は前記循環管路を選択的に連通させる給水切換手段（切換弁７６、８８）とを備え、前記給水切換手段は、前記洗濯給水管に開閉弁（８２）を備えるとともに、前記洗濯給水管に接続された分岐管路（５５）の一端を前記トイレ給水管に第１の切換弁（７６）を介して接続し、且つ、前記分岐管路の他端を前記循環管路に第２の切換弁（８８）を介して接続し、前記開閉弁、前記第１の切換弁又は前記第２の切換弁の切換えにより、前記洗浄水タンクに上水又は前記浴槽水を供給し、前記洗濯機に上水、給湯又は前記浴槽水を供給することを特徴とする。
【００１８】
このような構成とすれば、トイレの洗浄水タンク側には、トイレ給水管と循環管路とを連通させることで浴槽の湯水の供給、トイレ給水管と上水管とを連結させることで上水の供給ができ、また、洗濯機には、洗濯給水管と循環管路とを連通させることで浴槽の湯水の供給、洗濯給水管と給湯管又は上水管とを連結させることで、給湯又は非加熱の上水を供給できる。洗濯機の洗いモード、すすぎモードに対応して給水切換手段を操作することにより、洗いモードでは浴槽の湯水又は上水、すすぎモードでは上水を供給できる。浴槽の湯水は追焚によって加熱して洗濯機に供給できる。したがって、給水形態の変更で浴槽の湯水を再利用することができ、上水を節水することができ、浴槽内の湯水を加熱して洗濯機に供給する場合には、上水の加熱に比較し、熱量の節減を図ることができる。
【００１９】
本発明の節水給湯・追焚システム（請求項１０）は、前記洗浄水タンク側への流水又は前記洗濯機側への流水があったとき、前記洗浄水タンク側にはトイレ給水モード、前記洗濯機側には洗濯給水モードを選択して給水制御を実行する制御手段を備えたことを特徴とする。即ち、制御手段は、洗浄水タンクの排水を検知して洗浄水タンク側に湯水又は上水を給水し、洗濯機側の流水に応じて、湯水、上水の給水又は給湯を行い、トイレ側又は洗濯機側の使用形態又は使用状態に応じた給水制御を実現している。
【００２０】
本発明の節水給湯・追焚システム（請求項１１）は、前記洗浄水タンク側への給水を優先し、前記洗浄水タンク側への給水が上水に移行したとき、前記浴槽への給湯制御を実行する制御手段を備えたことを特徴とする。即ち、洗浄水タンクには浴槽の湯水を給水して洗浄水タンク側を満水とし、その排水によって上水を供給し、また、浴槽側の湯水が無い場合に上水を供給する。洗浄水タンク側への湯水の給水を優先し、洗浄水タンク側への給水が上水に移行したとき、浴槽への給湯制御を行うことで、浴槽の給湯制御の安定化を図っている。
【００２１】
本発明の節水給湯・追焚システム（請求項１２）は、前記洗濯機側への給水中、前記洗浄水タンクへの給水は上水に制限するとともに、前記洗濯機への前記浴槽水の供給、前記給水又は前記給湯を実行する制御手段を備えたことを特徴とする。即ち、洗濯機への給水は洗いモード又はすすぎモードで実行され、洗いモードでは湯水が供給される。洗濯機では、相当量の水量又は給湯量を必要とし、浴槽側から湯水を洗濯機に供給している場合、その湯水を洗浄水タンクに供給した場合の自動洗濯動作への影響を回避し、洗濯機側への給水中、洗浄水タンクへの給水は上水に制限することにより、安定した洗濯動作を実現している。
【００２２】
本発明の節水給湯・追焚システム（請求項１３）は、前記浴槽側の追焚循環中、前記洗濯機側への給水を制限するとともに、前記洗浄タンクへの給水を上水に制限したことを特徴とする。即ち、浴槽側の追焚循環を実行中、洗濯機側へその湯水の供給を制限することで、追焚水位の不足、追焚加熱が損なわれ又は洗濯機側に熱い湯水の供給を回避できる。洗浄水タンクへの給水は上水に制限することで、洗浄水の不足を防止できる。
【００２３】
本発明の節水給湯・追焚システム（請求項１４）は、前記浴槽側の給湯制御における水位制御中に、前記洗濯機側への給水指令を受けたとき、前記水位制御を中断して前記洗濯機への給水を実行することを特徴とする。即ち、水位制御は、浴槽内の追焚又は給湯時に行われる。このとき、浴槽から洗濯機に相当量の湯水が供給されると、浴槽内の水位制御は無意味となるので、その制御を中断し、洗濯機側の給水を優先している。
【００２４】
本発明の節水給湯・追焚システム（請求項１５）は、前記トイレ給水管と前記循環管路、前記洗濯給水管と前記循環管路を連結する分岐管路を備えるとともに、前記給水切換手段として切換弁を備えたことを特徴とする。即ち、分岐管路及び切換弁を以て上水、湯水又は給湯の供給選択を実現したので、管路形態及び給水切換手段の構成の簡略化を図ることができる。
【００２５】
本発明の節水給湯・追焚システム（請求項１６）は、前記洗浄水タンク又は前記洗濯機に給水する前記浴槽水を濾過する濾過手段（フィルタ９０）を備えたことを特徴とする。即ち、浴槽水を濾過手段で濾過することにより、洗浄水タンク及びその管路の汚れを防止し、洗濯機の給水を清浄化している。
【００２６】
【発明の実施の形態】
以下、この発明を図面に示した実施の形態を参照して詳細に説明する。
【００２７】
図１は、本発明の節水ユニット及び節水給湯・追焚システムの一実施形態を示している。この実施形態は、節水ユニット２を用いて構成された節水給湯・追焚システムである。即ち、この節水給湯・追焚システムは、トイレの洗浄水タンクとしてのロータンク４に節水ユニット２を通して上水Ｕｏ又は浴槽６の湯水Ｗを給水し、洗濯機８に節水ユニット２を通して浴槽６の湯水Ｗ、上水Ｕｏ、給湯追焚装置１０で得られた湯Ｕｈを選択的に供給し、浴槽６の湯水Ｗの再利用によって節水化を実現したものである。
【００２８】
給湯追焚装置１０は、上水Ｕｏの加熱を行うとともに、浴槽６に循環具１１を通して連結された往き管１４、戻り管１２からなる循環管路１６を通して循環する湯水Ｗを追焚きによって再加熱する手段である。即ち、上水Ｕｏは、上水管１８を通して給湯追焚装置１０及び節水ユニット２に供給され、上水Ｕｏを給湯追焚装置１０で加熱して得られる湯Ｕｈは給湯管２０を通して節水ユニット２に供給されるとともに炊事場等に給湯される。この実施形態では、節水ユニット２は循環管路１６の途上に設置されており、循環する湯水Ｗが供給されている。
【００２９】
そして、節水ユニット２とロータンク４との間には洗浄用水を流すトイレ給水管としての管路２２が連結され、また、節水ユニット２と洗濯機８との間には洗濯用水を流す洗濯給水管としての管路２４が連結されている。
【００３０】
ロータンク４側の管路２２の終端部側には開閉弁２６が設けられ、この開閉弁２６を介して分岐した管路からなる２つの給水管２８、３０が設けられており、これら給水部２８、３０から出た上水Ｕｏ又は湯水Ｗは、ロータンク４に洗浄水Ｗｏとして溜められる。給水管２８から給水される上水Ｕｏが手の洗浄等に供される。
【００３１】
また、ロータンク４には、その底部に排水管３２とともに止水弁３４が設けられ、この止水弁３４はロータンク４の底部に窪ませて形成された弁孔に対してボール状の弁体３６を移動可能に設けたものであり、弁体３６は時限止水装置３８にアーム４０を介して取り付けられている。アーム４０には牽引ワイヤ４２が係合しており、この牽引ワイヤ４２の終端部はロータンク４の側部に設けられた操作ハンドル４４に取り付けられ、操作ハンドル４４の回動により弁体３６を移動させ、止水弁３４を開くことができる。また、弁体３６の移動は時限止水装置３８に伝えられ、この弁体３６は所定時間後に弁孔を閉じ、かつ、排水時に開閉弁２６を開き、ロータンク４が所定の水位に到達したとき、開閉弁２６を閉じる。ここで、操作ハンドル４４が操作されて排水を開始し、時限止水装置３８が給水を停止するまでの間がトイレ洗浄モードである。
【００３２】
また、洗濯機８の管路２４の終端部側には開閉弁４６が設けられ、この開閉弁４６は洗濯機８側の洗い給水モード、すすぎモード等の洗濯モードに応じて開閉され、この実施形態では、洗い給水モードで浴槽６側の湯水Ｗ又は湯Ｕｈ、すすぎモードで上水Ｕｏが洗濯機８に供給される。
【００３３】
次に、図２は、節水ユニット２及び給湯追焚装置１０の一実施形態を示している。節水ユニット２は、着脱可能な独立したユニットとして構成でき、その内部には、第１の管路５１、第２の管路５２、第３の管路５３、第４の管路５４を備えている。管路５１は、ロータンク４に上水Ｕｏ又は浴槽６側の湯水Ｗを導く手段であって、管路５１の連結部５６側が上水管１８側に接続され、その連結部５８側がロータンク４側の管路２２に接続されている。また、管路５２は、洗濯機８に浴槽６側の湯水Ｗ、湯Ｕｈ又は上水Ｕｏを導く手段であって、連結部６０によって給湯管２０側に接続され、その連結部６２によって洗濯機８側の管路２４に接続されている。また、管路５３、５４は循環管路１６の一部を構成し、管路５３は、連結部６８、７０によって戻り管１２に接続され、また、管路５４は、連結部６４、６６によって往き管１４に接続されている。
【００３４】
管路５１には、バキュームブレーカ７２、逆止弁７４、切換弁７６及び水量センサ７８が設けられている。バキュームブレーカ７２は上水側との縁切り手段であり、逆止弁７４は湯水Ｗが上水側へ逆流するのを防止する手段である。切換弁７６は、管路５１側と管路５１、５４間に設けられる分岐管路５５側とに選択的に切り換える給水切換手段である。
【００３５】
管路５２には、バキュームブレーカ８０、開閉弁８２、逆止弁８４及び水量センサ８６が設けられており、逆止弁８４と水量センサ８６との間で分岐管路５５が連結されている。
【００３６】
管路５４は切換弁８８を以て分岐管路５５と連結され、切換弁８８は循環管路１６から湯水Ｗを選択的に取り出す給水切換手段である。
【００３７】
分岐管路５５は、循環管路１６から湯水Ｗを管路５１、５２側に導く手段であって、フィルタ９０及び切換弁９２が設けられている。フィルタ９０は、湯水Ｗの水垢等を濾過する手段である。切換弁９２に管路５７が接続されており、フィルタ９０に逆方向に上水Ｕｏを流してフィルタ９０を洗浄する場合に用いる手段である。管路５７は、連結部９４を通して排水管９６に連結されている。
【００３８】
そして、給湯追焚装置１０には、第１及び第２の熱交換器として給湯用熱交換器９８、追焚用熱交換器１００が設けられ、給湯用熱交換器９８には上水管１８及び管路１０２を通して上水Ｕｏが供給され、その入水側の温度は温度センサ１０４、水量は水量センサ１０６で検出され、また、上水Ｕｏを加熱して得られた湯Ｕｈは給湯管１０８から給湯される。給湯用熱交換器９８の出湯側の温度は温度センサ１１０で検出される。
【００３９】
また、追焚用熱交換器１００は、往き管１４及び戻り管１２からなる循環管路１６に取り付けられ、戻り管１２側には、流水の有無を検知して開閉する流水スイッチ１１１、浴槽６側の湯水Ｗを圧送するポンプ１１２、湯水Ｗの水位を水圧により検出する水位センサ１１４、湯水Ｗの温度を検出する温度センサ１１６が設けられている。また、往き管１４側には、切換弁１１８が設けられている。この切換弁１１８と給湯管１０８との間には分岐管１２０が設けられ、この分岐管１２０には開閉弁１２２、ホッパ１２４及び水量センサ１２６が設けられている。ホッパ１２４は、上水側と循環管路１６側とを縁切りする手段である。
【００４０】
そして、給湯用熱交換器９８、追焚用熱交換器１００には、それぞれ燃料ガスＧを燃焼させるバーナ１２８、１３０が設けられ、バーナ１２８、１３０にはガス供給管１３２を通じて燃料ガスＧが供給されるが、バーナ１２８側には比例弁１３４、開閉弁１３６、バーナ１３０側には開閉弁１３８が設けられ、燃料ガスＧの供給は元弁１４０によって切り換えられる。各バーナ１２８、１３０には、点火手段として点火プラグ１４２、１４４が設けられている。
【００４１】
次に、図３及び図４は節水給湯・追焚システムの制御装置の一実施形態を示し、図３はその給湯追焚制御部及び節水制御部、図４はその給湯追焚リモコン制御部及び節水リモコン制御部を示している。
【００４２】
給湯追焚制御部１４６は、演算制御部１４８、入力回路１５０、駆動回路１５２、１５４、１５６、送受信回路１５８等を備え、演算制御部１４８はマイクロコンピュータで構成され、ＲＯＭ１６０、ＲＡＭ１６２、ＣＰＵ１６４、入力ポート１６６、出力ポート１６８、１７０、１７２、入出力ポート１７４を備えている。入力回路１５０には温度センサ１０４、１１０、１１６、水量センサ１０６、１２６、水位センサ１１４、流水スイッチ１１１等の各種センサからの検出出力が加えられ、駆動回路１５２はポンプ１１２の駆動手段、駆動回路１５４は切換弁１１８等の駆動手段、駆動回路１５６は開閉弁１２２、１３６、１３８等の駆動手段である。また、入出力ポート１７４にはリモコン側とのデータの送受を行うために送受信回路１５８による送受信のための入力、出力が得られ、有線又は無線の通信媒体１７６を通して必要な信号の送受が行われる。
【００４３】
また、節水制御部１７８は、演算制御部１８０、入力回路１８２、駆動回路１８４、１８６、送受信回路１８８等を備え、演算制御部１８０はマイクロコンピュータで構成され、ＲＯＭ１９０、ＲＡＭ１９２、ＣＰＵ１９４、入力ポート１９６、出力ポート１９８、２００、入出力ポート２０２を備えている。入力回路１８２には水量センサ７８、８６等の各種センサからの検出出力が加えられ、駆動回路１８４は切換弁７６、８８、９２等の駆動手段、駆動回路１８６は開閉弁８２等の駆動手段である。また、入出力ポート２０２にはリモコン側とのデータの送受を行うために送受信回路１８８による送受信のための入力、出力が得られ、通信媒体１７６を通じて信号の送受が行われる。
【００４４】
給湯追焚リモコン制御部２０４は、演算制御部２０６、入力回路２０８、表示回路２１０、音声出力回路２１２、送受信回路２１４等を備え、演算制御部２０６はマイクロコンピュータで構成され、ＲＯＭ２１６、ＲＡＭ２１８、ＣＰＵ２２０、入力ポート２２２、出力ポート２２４、出力ポート２２６、入出力ポート２２８を備えている。入力回路２０８には動作スイッチ２３０の入力が加えられ、音声出力回路２１２の出力がスピーカ２３２に加えられ、また、表示回路２１０の表示出力が表示器２３４に加えられて必要な視覚上の表示が行われる。また、入出力ポート２２８には本体側とのデータの送受を行うために送受信回路２１４による送受信のための入力、出力が得られ、通信媒体１７６を通じて信号の送受が行われる。
【００４５】
節水リモコン制御部２３６は、演算制御部２３８、入力回路２４０、音声出力回路２４２、表示回路２４４、送受信回路２４６等を備え、演算制御部２３８はマイクロコンピュータで構成され、ＲＯＭ２４８、ＲＡＭ２５０、ＣＰＵ２５２、入力ポート２５４、出力ポート２５６、出力ポート２５８、入出力ポート２６０を備えている。入力回路２４０には動作スイッチ２６２の入力が加えられ、音声出力回路２４２の出力がスピーカ２６４に加えられ、また、表示回路２４４の表示出力が表示器２６６に加えられて必要な視覚上の表示が行われる。また、入出力ポート２６０には本体側とのデータの送受を行うために送受信回路２４６による送受信のための入力、出力が得られ、通信媒体１７６を通じて信号の送受が行われる。
【００４６】
そして、通信媒体１７６には、各送受信回路１５８、１８８、２１４、２４６をワイヤ等で構成される通信回線、電話回線等の公衆通信回線、赤外線等の無線媒体等を通して連係する各種伝送媒体が使用される。
【００４７】
次に、給湯追焚動作及び節水動作を項分けして説明する。
【００４８】
この節水給湯・追焚システムには、給湯、追焚、トイレ給水及び洗濯給水の各動作が有り、トイレ給水には上水又は湯水の供給動作、洗濯給水には湯水、上水又は給湯の供給動作がある。この実施形態では、トイレ給水と洗濯給水に浴槽６の湯水Ｗを再利用する節水動作を行う。
【００４９】
Ａ．浴槽６等への給湯動作
動作スイッチ２３０等の操作により給湯動作を実行する。浴槽６の水位が水位センサ１１４で検出され、設定水位の不足分が給湯される。その給湯は、バーナ１２８を燃焼して熱交換器９８を加熱し、上水管１８を通して給水された上水Ｕｏが管路１０２を経て熱交換器９８を通り、その加熱によって得られる湯Ｕｈが給湯管１０８、分岐管路１２０から切換弁１１８を経て往き管１４、即ち、節水ユニット２の管路５４及び切換弁８８を経て浴槽６に給湯される。また、この給湯動作では、給湯管２０から炊事場等への一般給湯の他、節水ユニット２への給湯も行われる。
【００５０】
そして、給湯の結果、浴槽６の水位が設定水位に移行したとき、自動運転動作では、浴槽６の湯水Ｗの温度を温度センサ１１６で測定し、その測定温度が設定温度に満たない場合には、追焚動作によって浴槽６内の湯水Ｗを設定温度まで再加熱する。
【００５１】
Ｂ．追焚動作
動作スイッチ２３０等の操作により追焚動作を開始する。先ず、浴槽６の水位が水位センサ１１４で検出され、設定水位の不足分を給湯し、設定水位に到達後、追焚動作に移行する。追焚は、バーナ１３０を燃焼して熱交換器１００を加熱し、循環管路１６を通して循環する湯水Ｗが熱交換器１００を通り、その加熱によって得られる湯水Ｗが往き管１４、即ち、節水ユニット２の管路５４及び切換弁８８を経て浴槽６に戻される。この結果、浴槽６の湯水Ｗの温度が設定温度に加熱される。このとき、熱交換器９８を通して一般給湯を行うことができる。
【００５２】
Ｃ．トイレ給水動作
トイレのロータンク４への給水は、上水Ｕｏと湯水Ｗとを併用することにより、節水を実現している。即ち、止水弁３４が開かれ、ロータンク４からトイレ側に排水されると、これに伴って開閉弁２６が開かれ、トイレ給水が可能となる。このトイレ給水では、使用者の手の洗浄のために上水Ｕｏの供給を３リットル程度行った後、浴槽６側の湯水Ｗを給水することにより節水し、湯水Ｗの給水が不可能な場合には上水Ｕｏで充当させている。
【００５３】
即ち、図２に示す節水給湯・追焚システムにおいて、切換弁７６の切換えによって管路５１が上水管１８と連通すると、上水Ｕｏが管路５１からロータンク４に供給される。この供給量は３リットル程度である。次に、切換弁７６、８８が切り換えられ、管路５１と管路５４とが分岐管路５５を介して連通すると、図５に示すように、循環管路１６から湯水Ｗが管路２２からロータンク４に供給され、その供給はロータンク４の水位が所定水位になって開閉弁２６が閉じられるまで持続する。このようなトイレ給水は、ロータンク４の排水の度に実行されるが、水量センサ７８が湯水Ｗの通過を検知しないとき、即ち、湯水Ｗが無いときには、切換弁７６の切換えによって湯水Ｗに代えて上水Ｕｏをロータンク４に給水し、必要な洗浄水を確保する。
【００５４】
Ｄ．洗濯給水動作
洗濯給水動作は、自動洗濯機の洗いモード及びすすぎモードに対応し、
ア  湯水Ｗの給水による洗いの後、上水Ｕｏによるすすぎ
湯水Ｗの不足時、上水Ｕｏによる洗いに移行
イ  湯水Ｗの加熱給水による洗いの後、上水Ｕｏによるすすぎ
湯水Ｗの不足時、上水Ｕｏの給湯による洗いに移行
ウ  湯Ｕｈによる洗いの後、上水Ｕｏによるすすぎ
エ  上水Ｕｏ（非加熱）による洗いの後、上水Ｕｏによるすすぎ
の各種モードがある。これら各モードは、節水リモコン制御部２３６の動作スイッチ２６２を操作することにより選択することができる。
【００５５】
即ち、洗濯給水は、湯水Ｗ、湯Ｕｈ又は上水Ｕｏを選択的に洗濯機８に供給する動作である。上記アのモードでは、図６に示すように、切換弁７６によって分岐管路５５と管路５１とを遮断状態にするとともに、切換弁８８によって管路５４と分岐管路５５とを開通状態に切り換え、ポンプ１１２を動作させるとともに、湯水Ｗを循環管路１６、管路５４、５５、２４を通して洗濯機８に給湯する。この場合、洗濯機８は開閉弁４６が開かれたとき、洗いモードが実行される。この場合、バーナ１３０を燃焼させて熱交換器１００により加熱しながら湯水Ｗを供給することもできる。
【００５６】
また、すすぎモードでは、図２において、切換弁７６の切換えにより、管路５１と分岐管路５５とを開通状態にすることにより、上水Ｕｏが管路５１、分岐管路５５から管路２４を経て洗濯機８に給湯される。
【００５７】
また、上記イのモードでは、水量センサ８６又は流水スイッチ１１１が水流を検知しないとき、即ち、湯水Ｗが無いときには、図７に示すように、切換弁８８を切り換えて分岐管路５５と管路５４とを遮断状態にし、開閉弁８２を開き、湯Ｕｈを給湯管２０及び管路５２を経て管路２４から洗濯機８に給湯する。この場合、バーナ１２８の燃焼によって熱交換器９８を加熱し、上水Ｕｏを加熱して湯Ｕｈを得る。
【００５８】
また、上記ウのモードでは、図７に示すように、切換弁８８を切り換えて分岐管路５５と管路５４とを遮断状態にし、開閉弁８２を開き、バーナ１２８の燃焼によって熱交換器９８を加熱し、上水Ｕｏを加熱して得た湯Ｕｈを給湯管２０及び管路５２を経て管路２４から洗濯機８に給湯する。
【００５９】
また、上記エのモードは、上記イの場合と同様である。
【００６０】
そして、洗濯給水制御では、湯水Ｗを洗濯機８に供給する場合、図６に示すように、ポンプ１１２を駆動させて循環管路１６に浴槽６から湯水Ｗが流れるか否かを流水スイッチ１１１の出力により確認することで、浴槽６に湯水Ｗの有無が確認される。浴槽６に残水、即ち、湯水Ｗが無ければ、洗濯機８側への給水を上水Ｕｏ又は湯Ｕｈの給水に切り換える。そして、湯水Ｗは加熱又は非加熱の給水が可能であり、加熱する場合には追焚動作を実行し、ポンプ１１２を駆動する。洗濯機８側の動作が開始されると、洗濯機８側の開閉弁４６が開く。これによりポンプ１１２の圧送圧力により浴槽６側の湯水Ｗの供給が開始される。洗濯機８側の管路２４の流水の有無は水量センサ８６で確認する。
【００６１】
湯水Ｗの給水では一定時間、例えば３分間だけポンプ１１２を駆動して流水が検出されなければ、一旦、ポンプ１１２を停止し、そのモータの破損を防止する。このとき、切換弁７６を切り換えて上水管１８、管路５１、５５を開通させ、上水Ｕｏの流水の有無を水量センサ８６の出力で確認する。上水Ｕｏの流入が水量センサ８６で確認されたときは、切換弁７６を切り換え、ポンプ１１２を駆動することにより、循環管路１６から管路２４を通して洗濯機８に湯水Ｗを給水する。
【００６２】
このとき、湯水Ｗを加熱するモードが選択されているときは、バーナ１３０をを燃焼し、また、ポンプ１１２による流水が流水スイッチ１１１で確認されている間は、開閉弁１３８の断続的な開閉と点火を行って間欠燃焼による湯水Ｗの加熱を行う。
【００６３】
湯水Ｗの流水が停止したら、洗濯機８側の開閉弁４６が閉じたのか、湯水Ｗの不足かを確認する。この場合、切換弁８８を切り換えて循環管路１６と分岐管路５５とを遮断し、ポンプ１１２を駆動することで循環管路１６で湯水Ｗの有無を確認する。湯水Ｗが無ければ、切換弁７６を切り換えて上水管１８からの上水Ｕｏを洗濯機８側に供給し、開閉弁４６の開閉動作に応じて上水Ｕｏを洗濯機８に流す。
【００６４】
また、湯水Ｗが有る場合には、上水Ｕｏの供給に切り換えて３分間待機する。３分間の間に水量センサ８６で流水を検出したら、再び湯水Ｗの給水に切り換え、ポンプ１１２を駆動して湯水Ｗを洗濯機８に流す。３分間の間に流水がなければ、湯水Ｗの給水を終了する。即ち、これが洗いモードの終了である。
【００６５】
このような動作は、洗濯機８の動作に応じて給水、ローター回転を繰り返しながら洗濯機８内に必要な給水、即ち、洗濯槽を満水にするものであるから、洗いモードからすすぎモードに移行したかどうかを給水動作上で確認するために行う。
【００６６】
また、洗濯機８への上水Ｕｏによる給湯は、節水リモコン制御部２３６で給湯給水が選択されたとき、又は、湯水Ｗが不足し、ポンプ１１２による給水ができない場合に実行される。即ち、給湯側の管路５２と管路５１とを切換弁７６で遮断するとともに、開閉弁８２を開いて湯Ｕｈを管路２４側に流す。このとき、洗濯機８側に流水が生じるか否かを水量センサ８６で確認し、流水が生じるまでこの状態を維持する。流水が発生し、管路１０２側の水量センサ１０６が流水を検知すると、バーナ１２８に点火され、その燃焼開始によって給湯が開始される。
【００６７】
この給湯中に、流水が停止したとき、洗濯機８への給湯を再開するかどうかを３分間待機し、流水を監視する。３分未満で再開されたときは再び給湯動作を開始する。３分間経過して流水が確認されなければ、節水ユニット２内の開閉弁８２を閉じて給湯動作を終了する。
【００６８】
また、上水Ｕｏの給水動作は、洗濯機８の洗いモードにおける給水、すすぎモードで実行される。この場合、節水ユニット２の管路５１側の切換弁７６を切り換えて管路５１と管路２４を開通させ、開閉弁８２を閉じることにより、非加熱の上水Ｕｏをロータンク４及び洗濯機８側へ供給する。この動作は、洗濯機８の開閉弁４６が開かれて給水動作が行われるまで待機し、その流水確認は水量センサ８６によって行われる。そして、洗濯機８側の開閉弁４６が開き、上水Ｕｏが洗濯機８に給水され、洗濯機８の開閉弁４６が閉じても、上水Ｕｏの給水状態を維持してこのまま待機する。
【００６９】
そして、洗濯機８側がすすぎモードに移行して開閉弁４６が開き、再び上水Ｕｏが洗濯機８に給水される。この場合、流水が停止し、一定時間の経過、例えば、６０分経過したかどうかを確認する。６０分経過するまでは上水Ｕｏが給水できるよう待機する。６０分経過したら洗濯機８側の洗い及びすすぎ等の全ての動作が終了したと判断し、上水Ｕｏの給水を終了し、上水Ｕｏはロータンク４側のみに給水されるように切換弁７６を切り換える。
【００７０】
Ｅ．各種関連動作（自動動作）
図８は、節水給湯・追焚システムの制御フローチャートを示している。ステップＳ１では、給湯追焚リモコン制御部２０４より湯張り命令、即ち、給湯、追焚、保温運転又は追焚の指令が出されたかどうかを判定し、この指令確認された後、ステップＳ２に移行する。ステップＳ２では、追焚指令に基づき、トイレのロータンク４への給水を上水Ｕｏの使用に制限される。追焚運転中は、通常の上水Ｕｏによる洗浄が行われる。
【００７１】
ステップＳ３では、追焚運転中は洗濯機８への給水動作が禁止される。このとき、節水リモコン制御部２３６には給水動作の禁止が表示される。そして、洗濯機８側の節水リモコン制御部２３６に運転命令が入力されたときには、キャンセル音を発して、命令が拒否されたことを報知する。
【００７２】
ステップＳ４では、浴槽６の湯水Ｗの追焚制御運転に移行する。即ち、浴槽６に湯張りし、設定温度に追焚きを行う運転等が行われる。
【００７３】
ステップＳ５では、節水リモコン制御部２３６より洗濯機８側への給水指令が出されたかどうかを判定する。指令が出されている場合にはステップＳ６に移行し、指令がない場合にはステップＳ９に移行する。ステップＳ６では、トイレのロータンク４への給水を上水Ｕｏに制限する。
【００７４】
ステップＳ７では、洗濯機８への給水動作中は、給湯追焚装置１０の追焚運転を禁止する。このとき、給水追焚リモコン制御部２０４には追焚動作の禁止が表示される。また、給湯追焚リモコン制御部２０４に追焚命令が入力された場合には、キャンセル音を発して運転命令が拒否されたことを報知する。また、保温運転中であれば、洗濯給水運転が終了するまで追焚動作が禁止される。
【００７５】
ステップＳ８では、浴槽６の湯水Ｗによる洗濯機８への給水制御運転が行われる。洗濯機８の動作に応じて浴槽６の湯水Ｗの給水及び上水Ｕｏの給水制御が行われる。
【００７６】
ステップＳ９では、トイレのロータンク４への給水制御運転が行われる。トイレで洗浄水の排水が行われると、ロータンク４に上水Ｕｏ及び湯水Ｗが給水されて、ロータンク４を所定水位に回復させる。
【００７７】
次に、図９は、洗濯機８への給水動作を示すフローチャートを示している。
【００７８】
ステップＳ２１では、給湯追焚装置１０が追焚運転を行っているかどうかを確認する。追焚運転中であれば、節水リモコン制御部２３６からの運転命令を拒否し、キャンセル音を発して報知する。また、追焚運転中でなければ、節水ユニット２の切換弁８８を洗濯機８側の給水経路に切り換え、ポンプ１１２を駆動させて、洗濯機８側の開閉弁４６が開くまで（給水動作）待機する。
【００７９】
ステップＳ２２では、洗濯機８側の開閉弁４６が開いて流水が生じたかどうかを確認する。ポンプ１１２を駆動させて所定時間ｔが経過するまで待機する。所定時間ｔが経過したとき、ポンプモータの過熱を防止するため、ポンプ１１２を停止し、切換弁８８を切り換えて管路５４と管路５５を遮断し、切換弁７６を切り換えて管路５１と管路５５を連通させ、管路２４に上水圧力を加えて待機する。上水Ｕｏの流水が検出されたら湯水Ｗの給水に切り換える。
【００８０】
ステップＳ２３では、洗濯給水モードに移行する。ポンプ１１２により洗濯機８へ湯水Ｗの給水を行う。ステップＳ２４では、ポンプ１１２による給水が所定時間以上経過し、かつ所定水量を給水したかどうかを確認する。洗濯機８によっては、断続的に給水と停止とを繰り返して洗濯槽を満水にさせるものがある。所定量の給水が行われず、かつ所定時間を経過していなければ満水になっていないものと判断して洗濯給水モードを継続する。
【００８１】
このとき、ステップＳ２４で所定時間が経過して流水停止があったとき、満水状態となったものと判断してポンプ１１２を停止し、図７に示す流路に切り換える。ステップＳ２５では、洗濯機８がすすぎモードに移行したかどうかを判定する。流水が確認されたらすすぎモードに移行したものと判断し、ステップＳ２６に移行する。
【００８２】
ステップＳ２６では洗濯機８に上水Ｕｏを給水する。また、ステップＳ２７では、流水停止後、所定時間が経過したかどうかを確認する。洗濯機８によっては、すすぎの動作上、給水とローター回転を繰り返すものがあるが、このすすぎ動作が確実に終了したことを流水の停止時間より判定すればよい。
【００８３】
ステップＳ２８では洗濯給水動作を終了する。終了と同時にトイレのロータンク４への給水動作を解禁する。
【００８４】
次に、図１０はトイレのロータンク４への給水動作を示すフローチャートを示している。
【００８５】
ステップＳ３０は、給湯追焚装置１０が追焚運転中か、又は、洗濯給水動作を実行中であるかを判別する。何れでもない場合には、ステップＳ３２に移行する。給湯追焚装置１０又は洗濯給水動作を実行中のときは、ステップＳ３１に移行して、トイレ給水を上水Ｕｏの給水のみに制限する。
【００８６】
ステップＳ３２はトイレのロータンク４への流水が発生したがどうかを判別する。流水が確認されたときには、ロータンク４内の水を放出して洗浄動作が開始されたと判断し、以後トイレの給水制御が実行される。ステップＳ３３では、上水給水モードを実行する。ここでは、洗浄水の放出後、使用者の手洗いに使用する上水Ｕｏを所定時間だけ供給する。
【００８７】
ステップＳ３４では、上水Ｕｏを所定量給水したかどうかを判定する。所定量の給水が行われたとき、手洗いに使用する上水Ｕｏの供給を終了し、ステップＳ３５に移行する。
【００８８】
ステップＳ３５では、節水ユニット２内の切換弁７６、８８を変更し、往き管１４からロータンク４への流路を開き、給湯追焚装置１０内のポンプ１１２を動作させて湯水Ｗをロータンク４へ供給する。
【００８９】
ステップＳ３６では、ロータンク４内が満水になる前に給水を停止するため、給水量を演算し、所定量に到達したかどうかを判定する。満水前には、ステップＳ３７に移行し、ロータンク４の開閉弁２６が閉じて流水が停止したかどうかを判定する。流水が停止したときにはロータンク４が満水となったと判断してトイレのロータンク４への給水動作を終了させる。
【００９０】
ステップＳ３７では、節水ユニット２内の切換弁７６を動作させて流路を変更し、ロータンク４に上水Ｕｏを給水する上水給水モードを実行する。この上水給水によってロータンク４までの管路２２の洗浄を行う。ステップＳ３９では、ロータンク４の開閉弁２６が閉じて流水が停止したかどうかを判定する。流水の停止を検出して、トイレのロータンク４への給水動作を終了する。
【００９１】
次に、図１１は給湯追焚装置１０の運転動作、洗濯給水運転動作及びトイレ給水運転動作の関係を示し、Ａは給湯追焚装置１０の動作、Ｂは洗濯給水運転動作、Ｃはトイレ給水運転動作である。即ち、給湯追焚装置１０の動作は、浴槽６への湯張りのための給湯、追焚と放熱によって低下した湯温を設定温度に回復される保温動作を示している。給湯追焚装置１０が給湯中である場合には、節水リモコン制御部２３６の運転命令が優先される。この場合、洗濯給水動作中は浴槽６への給湯動作は停止し、洗濯機８への給水動作が終了すると再び浴槽６への給湯が再開される。また、トイレ側への浴槽６の湯水Ｗの給水指令が出されたときも、給湯動作よりトイレ給水動作が優先される。給湯追焚装置１０が追焚中又は保温動作時間帯にあるときは、洗濯機８側への給水指令はキャンセルされる。即ち、節水リモコン制御部２３６より動作命令を入力しても、その指令はキャンセルされ、キャンセル音が節水リモコン制御部２３６より報知される。また、トイレの給水は上水の給水のみに制限される。また、各リモコンに洗濯及びロータンク４への給水動作を禁止する表示を行い、報知しても良い。
【００９２】
次に、図１２は洗濯機８の動作、洗濯機８への給水動作及びトイレの給水動作との関係を示し、Ｄは洗濯機８の動作、Ｅは洗濯機８への給水動作、Ｆはトイレの給水動作である。洗濯機８では、洗濯槽８への給水、洗濯運転、洗濯槽の排水、洗濯物の含まれる水分の脱水、洗濯物に付着した洗剤の除去のためのすすぎ運転、洗濯槽の排水、脱水が行われる。洗濯機８側は給水、すすぎ動作に合わせて開閉弁４６を開閉し、この洗濯機８の動作に連動してその給水時には浴槽６の湯水Ｗ又は上水Ｕｏを導入し、すすぎ運転時には上水Ｕｏを給水する。洗濯機８側への給水動作中にはトイレのロータンク４への浴槽６の湯水Ｗの給水動作は禁止され、トイレのロータンク４には上水Ｕｏが供給される。
【００９３】
次に、各種動作の関係を総括すれば次の通りである。
【００９４】
ａ．給湯動作において、トイレ給水と洗濯給水との関係ては、給湯動作中に、トイレのロータンク４への流水を検出したときは、給湯動作を停止し、トイレのロータンク４への給水制御が行われる。
【００９５】
ｂ．トイレ給水が終了したら風呂給湯動作が再開される。給湯動作中に、洗濯機８側への給水指令があったときは、給湯動作を一旦停止させ、洗濯機８側への給水制御を行う。洗濯機８側への給水制御が終了すると、給湯動作が再開する。
【００９６】
ｃ．水位センサ１１４により水位制御されるときの給湯経路は、給湯管路と循環管路１６とを接続する切換弁１１８をホッパ１２４側から往き管１４側への流路に切り換えて、戻り管１２にある水位センサ１１４にて浴槽６内の水位を観察する。
【００９７】
ｄ．追焚動作中のトイレ給水、洗濯給水との関係
風呂追焚制御中は、トイレの給水は上水給水に制限される。風呂追焚制御中（保温動作中の追焚待機中も含む）に、洗濯機８への給水指令が節水リモコン制御部２３６より成されても、この指令はキャンセルされる。
【００９８】
ｅ．水位センサ１１４による給湯制御
保温時間帯では、１０分おきに水位を観察し、設定水位未満であれば設定水位まで給湯する。また、３０分毎に湯水Ｗの温度を検温し、設定温度未満であれば追焚きを行って設定温度に回復させる。
【００９９】
ｆ．水位センサ１１４による制御時のトイレ給水、洗濯給水との関係
水位センサ１１４による水位制御を行うため、浴槽６の湯水Ｗが減少しても回復させることができる。保温時間帯において追焚動作が行われていなければ節水リモコン制御部２３６からの指令を優先して洗濯給水が行われる。洗濯給水後は、設定水位と設定温度に回復させるため、給湯と追焚が行われる。
【０１００】
ｇ．トイレ給水動作と洗濯給水との関係
トイレ給水より洗濯給水を優先する。ロータンク４への給水中に、節水リモコン制御部２３６により洗濯給水が指令されたら、洗濯給水を優先し、トイレ給水は上水給水に制限される。これは、洗濯機８側での浴槽６の湯水Ｗの使用量が多いため、できる限り洗濯機８側に給水させる。また、トイレ給水を優先させると、洗濯機８側の給水待機中に洗濯機８から水無しアラームが送出され、リセット等の操作に手間がかかる。
【０１０１】
ｈ．外部給湯時の選択給水
シャワー、台所等への給湯時に洗濯給水の給湯給水が選択されたとき、外部給湯の設定温度が４５°Ｃ以上の衣類にダメージを与える温度のときは強制的に４５°Ｃに変更され、洗濯機及びシャワー、台所に給湯される。なお、４５°Ｃ未満のときは変更がない。
【０１０２】
次に、図１３は、フィルタ９０の逆洗動作を示す。フィルタ９０の汚れを定期的に逆洗することにより、濾過能力を回復させる。即ち、節水ユニット２内の切換弁７６、９２を動作させて上水Ｕｏを濾過方向とは逆方向にフィルタ９０に流し、上水Ｕｏの水圧及び水流を利用して汚れを外部に排出する。フィルタ９０の逆洗は一定時間毎に行っても良いし、また、浴槽６の湯水Ｗの給水回数をカウントし、所定回数に到達したら逆洗を行っても良い。また、洗濯給水動作が終了したときに逆洗を行ってもよい。また、フィルタ９０への湯水Ｗの通過水量が所定値以下に減少したとき、その運転終了後に逆洗を行っても良い。即ち、この逆洗タイミングとしては、次の通りである。
【０１０３】
ア．洗濯給水の終了直後
イ．残り湯の給水回数に応じて
ウ．例えば深夜０時頃の未使用時刻
エ．所定時間毎
オ．フィルタへの湯水Ｗの通過流量が所定量まで減少した場合
【０１０４】
なお、逆洗中に風呂給湯、追焚、トイレ給水、洗濯給水が選択されたときは、これらの動作を優先させ、その後行う。
【０１０５】
そして、逆洗動作は、トイレ給水管路側の切換弁７６、８８をロータンク４と洗濯機８側に開放する。逆洗用の切換弁９２を動作させて排水側に切り換える。上水Ｕｏを導入し、所定時間経過したら、切換弁９２を元の位置に戻す。
【０１０６】
次に、図１４は、給湯追焚運転、洗濯給水運転及びトイレ給水運転の他の実施形態を示し、Ｇは給湯追焚運転、Ｈは洗濯給水運転、Ｉはトイレ給水運転である。即ち、水位センサ１１４により浴槽６内の湯水Ｗの水位制御可能な給湯追焚装置１０に用いられる例である。給湯追焚動作において、給湯中又は保温動作中には水位センサ１１４の検出値に基づき、浴槽６の水位を設定水位に回復させる給湯動作が行われる。この間においては、洗濯給水動作を優先して洗濯機８への給水動作が行われる。保温動作中において、洗濯機８への給水動作中は追焚動作が禁止される。洗濯機８への給水動作が終了すると浴槽６への湯水Ｗの補給及び追焚が行われる。
【０１０７】
なお、他の実施形態として節水ユニット２は、循環管路１６の一部である管路５３、５４を除いて構成してもよい。
【０１０８】
【発明の効果】
以上説明したように、本発明によれば、次のような効果が得られる。
ａ  既存の給湯追焚装置及びその配管に節水ユニットを設置することで、トイレの洗浄水タンク及び洗濯機に浴槽の湯水を流し、上水の節水を図ることができるとともに、浴槽の湯水を洗濯給湯に使用した場合、上水加熱に比較して熱量の節減をも図ることができる。
ｂ  洗濯機、トイレの洗浄等給水先の動作を遠隔的に検出して、これら動作に連動して上水又は浴槽水を給水するため、上水の給水のための配管を別途用意する必要がない。
ｃ  洗濯機又は洗浄水タンクの動作を流水の検知により遠隔的に検出できるため、洗濯機又は洗浄水タンクとの連係のための別途工事を不要とすることができる。
ｄ  給湯追焚装置や洗濯給水動作時には、洗浄タンクへの給水動作を上水給水に切り換えて、生活に支障を生じさせず、かつ節水をすることができる。
ｅ  給湯追焚動作と洗濯給水動作に優先権を設けて、入浴と洗濯との両立を図り、かつ節水を行うことができる。
【図面の簡単な説明】
【図１】本発明の節水ユニット及び節水給湯・追焚システムの一実施形態を示す図である。
【図２】給湯追焚装置及び節水ユニットの内部構造の一例を示す図である。
【図３】制御装置を示すブロック図である。
【図４】制御装置を示すブロック図である。
【図５】ロータンクへの湯水の供給経路を示す図である。
【図６】洗濯機への湯水の供給経路を示す図である。
【図７】洗濯機への給湯経路を示す図である。
【図８】給湯追焚、トイレ給水及び洗濯給水の動作を示すフローチャートである。
【図９】洗濯機への給水動作を示すフローチャートである。
【図１０】ロータンクへの給水動作を示すフローチャートである。
【図１１】給湯追焚動作、洗濯給水動作、トイレ給水動作の関係を示す図である。
【図１２】洗濯機動作、洗濯給水動作、トイレ給水動作の関係を示す図である。
【図１３】フィルタの逆洗動作を示す図である。
【図１４】給湯追焚動作、洗濯給水動作、トイレ給水動作の他の実施形態を示す図である。
【符号の説明】
２  節水ユニット
４  ロータンク（洗浄水タンク）
６  浴槽
８  洗濯機
１８  上水管
２０  給湯管
２２  管路（トイレ給水管）
２４  管路（洗濯給水管）
２６、４６  開閉弁
５１、５２、５３、５４  管路
５５  分岐管路
９０  フィルタ
７６、８８  切換弁（給水切換手段）
７８、８６  水量センサ
８２  開閉弁
９０  フィルタ（濾過手段）
９８  熱交換器（第１の加熱手段）
１００  熱交換器（第２の加熱手段）
１０６  水量センサ
１１１  流水スイッチ
１１４  水位センサ
１２０  分岐管（給湯管）
１２２  開閉弁
１２６  水量センサ
１４６  給湯追焚制御部（制御手段）
１７８  節水制御部（制御手段）
２０４  給湯追焚リモコン制御部（制御手段）
２３６  節水リモコン制御部（制御手段）
Ｕｏ  上水
Ｕｈ  湯（上水）
Ｗ  湯水（浴槽６の残湯）
【図１】
0003898382.tif 000002
【図２】
0003898382.tif 000003
【図３】
0003898382.tif 000004
【図４】
0003898382.tif 000005
【図５】
0003898382.tif 000006
【図６】
0003898382.tif 000007
【図７】
0003898382.tif 000008
【図８】
0003898382.tif 000009
【図９】
0003898382.tif 000010
【図１０】
0003898382.tif 000011
【図１１】
0003898382.tif 000012
【図１２】
0003898382.tif 000013
【図１３】
0003898382.tif 000014
【図１４】
0003898382.tif 000015